(57)【特許請求の範囲】
【請求項１】
側面にフランジが設けられ、飲料を収容する容器本体と、
前記容器本体の開口部を閉じる蓋と、
前記フランジと前記蓋との間の隙間に挟み込まれるようにして択一的に取付け可能で、かつ互いに形状が異なる複数のアダプタと、を備え、
前記複数のアダプタには、前記隙間を埋めるリングが含まれている飲料容器。
【請求項２】
前記複数のアダプタには、持ち手部を有するアダプタが含まれている請求項１の飲料容器。
【請求項３】
前記複数のアダプタには、ストラップを有するアダプタが含まれている請求項１又は２の飲料容器。
【請求項４】
前記容器本体には、前記アダプタの回転を防止する突起が設けられている請求項１〜３のいずれか一項の飲料容器。
【請求項５】
前記蓋には、ストローによる飲み口が形成された飲み口部と、飲み口部に対して開閉する開閉部と、が設けられている請求項１〜４のいずれか一項の飲料容器。
【発明の詳細な説明】
【技術分野】
【０００１】
本発明は、幼児用の飲料容器に関する。
【背景技術】
【０００２】
幼児用の飲料容器には、幼児が自分で容器を持つために持ち手が設けられている（例えば、特許文献１参照。）。この持ち手は着脱可能に設けられている。
【先行技術文献】
【特許文献】
【０００３】
【特許文献１】特開２００６−６２７３２号公報
【発明の概要】
【発明が解決しようとする課題】
【０００４】
しかしながら、持ち手が不要な場合に持ち手を取り外すと、取り外し後の容器本体に隙間が生じ、幼児の指がその隙間に挟まるおそれがある。また、持ち手の取り外しだけでは飲料容器を使用する際の多様な要求に沿うことができない。
【０００５】
そこで、本発明は使用者の多様な好みに対応できる飲料容器を提供することを目的とする。
【課題を解決するための手段】
【０００６】
本発明の飲料容器は、側面にフランジ（２ａ）が設けられ、飲料を収容する容器本体（２）と、前記容器本体の開口部を閉じる蓋（３）と、前記フランジと前記蓋との間の隙間（Ａ）に挟み込まれるようにして択一的に取付け可能で、かつ互いに形状が異なる複数のアダプタ（４）と、を備え、前記複数のアダプタには、前記隙間を埋めるリング（４ｂ）が含まれていることにより上記課題を解決する。
【０００７】
本発明の飲料容器によれば、用途に応じてアダプタを付け替えることができる。複数のアダプタが設けられているので、１セットの容器本体及び蓋であっても様々な状況での使用に対応することができる。従って、使用する幼児や保護者の多様な好みに対応でき、利便性が向上する。また、所望のアダプタを取り付けることで隙間が生じることもなく、幼児が安全に使用することができる。また、容器本体を幼児が直接掴んで持つ場合等、持ち手を使用する必要がないときに隙間をリングにより覆うので、隙間による幼児の指挟みの危険を回避することができ、安全に飲料容器を使用することができる。また、隙間が埋まることにより、蓋及び容器本体との一体感が生じ外見も良好になる。
【０００９】
本発明の飲料容器の一形態において、前記複数のアダプタには、持ち手部（５ｂ）を有するアダプタ（４ａ）が含まれていてもよい。この形態によれば、幼児が持ち手部を掴んで飲料を飲む場合には、持ち手部を有するアダプタを取り付けることができる。
【００１０】
本発明の飲料容器の一形態において、前記複数のアダプタには、ストラップを有するアダプタが含まれていてもよい。この形態によれば、飲料容器にストラップを設けることができるので、ベビーカーのハンドル、バッグの肩紐等に引っ掛けて、あるいは手や首等に掛けて持ち運ぶことができる。
【００１１】
本発明の飲料容器の一形態において、前記容器本体には、前記アダプタの回転を防止する突起（２ｂ）が設けられていてもよい。この形態によれば、隙間に取り付けたアダプタの回転を防止するので、安全に使用することができる。
【００１２】
本発明の飲料容器の一形態において、前記蓋には、ストローによる飲み口が形成された飲み口部と、飲み口部に対して開閉する開閉部と、が設けられていてもよい。この形態によれば、ストロータイプの飲み口は、幼児が成長しても使用することができるので、アダプタを付け替えることにより幼児の好みに応じた様々な飲み方に対応できる。好みのカスタマイズが可能となることで、多様なシーンに対応でき、利便性や加飾性を向上することができる。
【００１３】
なお、以上の説明では本発明の理解を容易にするために添付図面の参照符号を括弧書きにて付記したが、それにより本発明が図示の形態に限定されるものではない。
【発明の効果】
【００１４】
以上、説明したように、本発明の飲料容器においては、用途に応じてアダプタを付け替えることができる。複数のアダプタが設けられているので、１セットの容器本体及び蓋であっても様々な状況での使用に対応することができる。従って、使用する幼児や保護者の多様な好みに対応でき、利便性が向上する。また、所望のアダプタを取り付けることで隙間が生じることもなく、幼児が安全に使用することができる。
【図面の簡単な説明】
【００１５】
【図１】本発明の一形態に係る飲料容器の斜視図。
【図２】蓋の拡大図。
【図３】図１と異なるアダプタを取り付けた状態の飲料容器の斜視図。
【図４】アダプタを取り外した状態の飲料容器の斜視図。
【発明を実施するための形態】
【００１６】
図１に本発明の一形態に係る飲料容器の斜視図を示す。飲料容器１は、幼児が使用して茶やジュース等の飲料を飲むための容器である。飲料容器１は、飲料を収容する容器本体２と、容器本体２の開口部を閉じる蓋３と、互いに形状が異なる複数のアダプタ４とを備えている。容器本体２は、有底筒状で、上部に蓋３を取付け可能な溝を有する。蓋３には、ストロータイプの飲み口が形成された飲み口部３ａと、飲み口部３ａに対して開閉する開閉部３ｂとが設けられている。図２に蓋３の拡大図を示す。飲み口部３ａは、飲料を飲むためのストロー３ｃを有する。開閉部３ｂは、飲み口部３ａに取り付けられる。開閉部３ｂを開けると、ストロー３ｃが現れて飲料を飲むことができる。開閉部３ｂを閉じると、ストロー３ｃを押えるようにして開閉部３ｂが閉じられ、ストロー３ｃが覆われる。容器本体２には、このようなストロータイプの飲み口部３ａを有する蓋３に換えて、人工乳首やスパウト、コップタイプの飲み口部を有する蓋を取り付けることもできる。
【００１７】
複数のアダプタ４として、図１に示すような持ち手部としてのハンドル５ｂを有するアダプタ４ａと、図３に示すような何も付属していないリングとしてのアダプタ４ｂとが設けられる。アダプタ４は、蓋３を取り付けていない状態で上方から容器本体２に対して嵌め込むようにして取り付けられる。図４にアダプタ４を取り付けていない状態の飲料容器１の斜視図を示す。容器本体２の側面には、フランジ２ａが設けられ、アダプタ４を支持する。また、複数のアダプタ４は、容器本体２のフランジ２ａと蓋３との間の隙間Ａに挟み込まれるようにして択一的に取付け可能である。隙間Ａには、アダプタ４の回転を防止する突起２ｂが設けられている。アダプタ４の取付け後、さらに蓋３を容器本体２に取り付けることで、アダプタ４は容器本体２に固定される。
【００１８】
アダプタ４ａは、容器本体２に取付け可能なリング形状の取付部５ａと、取付部５ａに設けられる一対のハンドル５ｂとを有する。取付部５ａは、隙間Ａに取り付けられる。突起２ｂが設けられているので、ハンドル５ｂを所定の位置に合わせて取り付けることができる。ハンドル５ｂは取付部５ａの両端側にそれぞれ設けられている。アダプタ４ｂは、容器本体２に取付け可能なリング形状の取付部６を有する。アダプタ４ｂは、ハンドル５ｂが存在しない点でアダプタ４ａと異なっている。
【００１９】
飲料容器１の使用方法を説明する。幼児がハンドル５ｂを使用して飲料を飲む場合、アダプタ４ａを隙間Ａに取り付ける。幼児がハンドル５ｂを両手で掴むことで、安定感が増し、幼児自ら飲料容器１を持って飲料を飲むことができる。一方、幼児が容器本体２の側面を掴んで持つような場合、ハンドル５ｂが邪魔となる。ハンドル５ｂが不必要であればアダプタ４ａを取り外すことが設計上可能であるが、図４に示すように隙間Ａが生じ、蓋３やフランジ２ａとの段差も存在する。隙間Ａが露出することにより見た目も悪く、また、幼児が隙間Ａによる段差で指を挟むおそれもある。そこで、アダプタ４ｂを取り付けることにより、隙間Ａが覆われ、幼児の指挟みの危険を回避することができ、安全に使用することができる。さらに、蓋３及び容器本体２との一体感が生じ外見も良好となる。アダプタ４の付替えには、蓋３を容器本体２から取り外し、突起２ｂと位置を合わせるようにしてアダプタ４を隙間Ａに嵌め込み、再度蓋３を取り付ける。このように、複数のアダプタ４が設けられていれば、１セットの容器本体２及び蓋３であっても様々な状況での使用が可能となる。アダプタ４を付け替えるだけで幼児や保護者の多様な好みに対応でき、利便性が向上する。
【００２０】
本発明は、上述した形態に限定されることなく、種々の形態にて実施することができる。本形態では、アダプタ４の一例として、ハンドル５ｂを有するアダプタ４ａ及び付属物のないアダプタ４ｂで説明したが、これに限られない。例えば、アダプタ４として、取付部にストラップを有するアダプタであってもよい。ストラップを設けることにより、ベビーカーのハンドル、バッグの肩紐等に引っ掛けて、あるいは手や首等に掛けて用いることができる。隙間Ａに突起２ｂが設けられているので、容器本体２に対してアダプタ４が回転することなく安全に使用することができる。その他、ひとつのハンドル５ｂが設けられた片手持ちタイプのアダプタ４や、自動車のカップホルダに取付け可能なアダプタ４としてもよい。また、取付部にフックやリングを設けて幼児の好む人形等の飾りや前述のストラップを付け替えられるようにしてもよい。この場合、取付部を取り外さずにストラップ等の付属物の交換をすることができる。さらに、これらのアダプタ４に対して、色違いのアダプタ４を用意して容器本体２及び蓋３との組合せを楽しめるようにしてもよい。また、ハンディキャップのある人が使用する場合に、それぞれのニーズに応じた特製の持ち手をつけるようにしてもよい。さらに、保育園等の施設で使用する場合には、複数個をまとめて保管運搬等可能なアタッチメントをつけるようにしてもよい。このように、多様なアダプタ４を用意することで、様々な組合せが可能となり、好みの形態に飲料容器１をカスタマイズすることができる。
【００２１】
また、容器本体２の形状についても、射出成形によるストレートタイプの他、丸みを帯びたブロー成形のカップ等、様々な形状の容器に対してアダプタ４を取り付けることができる。アダプタ４はリング形状に限られず、一部が欠けた形状で隙間Ａに嵌め込むようにして取り付けられるように構成されていてもよい。欠けた部分に開閉部を設けて取付け後に固定できるようにしてもよい。これにより、蓋３を取り外すことなく取り付けることができる。また、容器本体２と飲み口部３ａとが一体的に構成されていてもよい。この場合、開閉部３ｂが蓋として機能する。
【符号の説明】
【００２２】
１  飲料容器
２  容器本体
３  蓋
４、４ａ、４ｂ  アダプタ
Ａ  隙間
【図１】
0005546817.tif 000002
【図２】
0005546817.tif 000003
【図３】
0005546817.tif 000004
【図４】
0005546817.tif 000005